(57)【要約】【課題】 携帯電話の充電操作に合わせて携帯電話に記憶されているデータのバックアップを可能とし、携帯電話の使い勝手を向上させる。【解決手段】　データのバックアップ操作等を制御するための操作部６０と、操作部による入力操作にしたがって携帯電話に記憶されているデータをメモリに転送させて記憶させあるいはメモリから携帯電話に書き込みする制御を行うロジック制御回路３２、および携帯電話に記憶されているデータをメモリに記憶するための制御を行うメモリ制御回路３４、および携帯電話との間で電気的特性を整合させ、また信号タイミングを整合させるインターフェース３６を備えた電話メモリ制御部３０と、ＡＣアダプターから携帯電話に供給される電圧および電流が一定範囲に維持されるように制御する充電制御部５２と、ＡＣアダプターの入力電圧を前記電話メモリ制御部及び充電制御部の駆動電圧に変換する電圧変換部４０とを備える。【選択図】　　　　　図３
2004147496.tif 000002
【特許請求の範囲】
【請求項１】
　携帯電話の充電に使用されるＡＣアダプターと携帯電話との間に脱着可能に介在して用いられ、携帯電話を充電する充電機能を制御し、携帯電話に記憶されている通信先データあるいは個人情報データ等のデータをバックアップし、バックアップされたデータを携帯電話に書き込みするデータ保存機能を制御する携帯電話の充電器接続用データ保存充電器であって、
　データのバックアップ操作等を制御するための操作部と、
　携帯電話に記憶されている前記データを記憶するメモリを備え、前記操作部による入力操作にしたがって前記データをメモリに転送させて記憶させあるいはメモリから携帯電話に書き込みする制御を行うロジック制御回路、
　および携帯電話に記憶されている前記データをメモリに記憶するための制御を行うメモリ制御回路、
　および携帯電話との間で電気的特性を整合させ、また信号タイミングを整合させるインターフェースを備えた電話メモリ制御部と、
　前記ＡＣアダプターから携帯電話に供給される電圧および電流が一定範囲に維持されるように制御する充電制御部と、
　前記ＡＣアダプターの入力電圧を前記電話メモリ制御部及び充電制御部の駆動電圧に変換する電圧変換部とを備えたことを特徴とする携帯電話の充電器接続用データ保存充電器。
【請求項２】
　前記メモリ制御回路が、メモリとして不揮発性のフラッシュメモリを備えていることを特徴とする請求項１記載の携帯電話の充電器接続用データ保存充電器。
【請求項３】
携帯電話の充電に使用されるＡＣアダプターと携帯電話との間に脱着可能に介在して用いられ、携帯電話の充電についてはロジック回路をバイパスしてＡＣアダプターと携帯電話とを直接的に電気的に接続する構成とするとともに、携帯電話に記憶されている通信先データあるいは個人情報データ等のデータをバックアップし、バックアップされたデータを携帯電話に書き込みするバックアップ機能とを備えた充電器接続用データバックアップ装置であって、
　データのバックアップ操作等を制御するための操作部と、
　携帯電話に記憶されている前記データを記憶するメモリを備え、前記操作部による入力操作にしたがって前記データをメモリに転送させて記憶させあるいはメモリから携帯電話に書き込みする制御を行うロジック制御回路、
　および携帯電話に記憶されている前記データをメモリに記憶するための制御を行うメモリ制御回路、
　および携帯電話との間でのデータのやりとりを制御するインターフェースを備えた電話メモリ制御部とを備えていることを特徴とする充電器接続用データバックアップ装置。
【発明の詳細な説明】
【技術分野】
【０００１】
　本発明は携帯電話に記憶されているデータを保存する、充電器接続用データ保存充電器および携帯電話の充電器接続用データバックアップ装置に関するものである。
【背景技術】
【０００２】
　近年、携帯電話は事業用あるいは個人用として多用されており、通信伝達手段として常用されている。この携帯電話には各種機能が付属しているが、これらの機能のうち通信先を記憶しておく機能、個人情報を記憶しておく機能は、相手先を間違わずに簡単に呼び出ししたり、相手先を参照する上できわめて有用である。とくに、事業用で使用しているような場合には通信先データが顧客データともなるから、これらの記憶データは使用者にとって重要なデータである。
【０００３】
　携帯電話は故障したり、紛失したりすることがあり得るから、通信先データが蓄積されてきたような場合には、これらのデータを随時保存してデータが散逸しないように管理する必要がある。そして、顧客データ等を保存しておけば、会社内で共通のデータとして使用することも可能になる。これらのデータを保存する方法としては、たとえばコンピュータに携帯電話を接続して通信先データや個人情報データを保存する方法や、携帯電話のデータ保存用の専用装置を使用する方法が従来なされてる。
【発明の開示】
【発明が解決しようとする課題】
【０００４】
　しかしながら、携帯電話の通信先データ等を保存する場合にコンピュータを使用する方法は、コンピュータの取り扱いに不慣れな人もいることから必ずしも有効ではない。また、専用のデータ保存装置を使用するといった場合でも、より手軽に操作でき、随時バックアップしやすいものでなければならない。本発明者はこのような携帯電話を使用する際の問題点を解消するものとして、携帯電話の充電器に携帯電話の通信先データ及び個人情報データを記憶、保存する機能を付加することにより、これらのデータを簡単にかつ随時保存し得ることに思到した。
　すなわち、本発明は携帯電話の通信先データ等の所要の記憶データをきわめて簡単な操作によって保存し得るようにした携帯電話の充電器接続用データ保存充電器および充電器接続用データバックアップ装置を提供することを目的とするものである。
【課題を解決するための手段】
【０００５】
　本発明は、上記目的を達成するため次の構成を備える。
　すなわち、携帯電話の充電に使用されるＡＣアダプターと携帯電話との間に脱着可能に介在して用いられ、携帯電話を充電する充電機能を制御し、携帯電話に記憶されている通信先データあるいは個人情報データ等のデータをバックアップし、バックアップされたデータを携帯電話に書き込みするデータ保存機能を制御する携帯電話のデータ保存充電器であって、データのバックアップ操作等を制御するための操作部と、携帯電話に記憶されている前記データを記憶するメモリを備え、前記操作部による入力操作にしたがって前記データをメモリに転送させて記憶させあるいはメモリから携帯電話に書き込みする制御を行うロジック制御回路、および携帯電話に記憶されている前記データをメモリに記憶するための制御を行うメモリ制御回路、および携帯電話との間で電気的特性を整合させ、また信号タイミングを整合させるインターフェースを備えた電話メモリ制御部と、前記ＡＣアダプターから携帯電話に供給される電圧および電流が一定範囲に維持されるように制御する充電制御部と、前記ＡＣアダプターの入力電圧を前記電話メモリ制御部及び充電制御部の駆動電圧に変換する電圧変換部とを備えたことを特徴とする。
　また、前記メモリ制御回路が、メモリとして不揮発性のフラッシュメモリを備えていることを特徴とする。
【０００６】
　また、携帯電話の充電に使用されるＡＣアダプターと携帯電話との間に脱着可能に介在して用いられ、携帯電話の充電についてはロジック回路をバイパスしてＡＣアダプターと携帯電話とを直接的に電気的に接続する構成とするとともに、携帯電話に記憶されている通信先データあるいは個人情報データ等のデータをバックアップし、バックアップされたデータを携帯電話に書き込みするバックアップ機能とを備えた充電器接続用データバックアップ装置であって、データのバックアップ操作等を制御するための操作部と、携帯電話に記憶されている前記データを記憶するメモリを備え、前記操作部による入力操作にしたがって前記データをメモリに転送させて記憶させあるいはメモリから携帯電話に書き込みする制御を行うロジック制御回路、および携帯電話に記憶されている前記データをメモリに記憶するための制御を行うメモリ制御回路、および携帯電話との間でのデータのやりとりを制御するインターフェースを備えた電話メモリ制御部とを備えていることを特徴とする。
【発明の効果】
【０００７】
　本発明に係る携帯電話のデータ保存充電器は、上述したように、携帯電話の充電器に付随して携帯電話に記憶されている通信先データや個人情報データをバックアップし、また、携帯電話側へバックアップデータを書き込むことができるように構成したから、充電操作に付随してバックアップ操作をすることができ、取り扱いが容易になるとともに、データの更新が随時行えて、きわめて使いやすい充電器接続用データ保存充電器として提供される。また、取り扱い操作の点でとくに専門知識が必要なく、だれでも簡単に取り扱うことが可能となる。
【発明を実施するための最良の形態】
【０００８】
　以下、本発明の好適な実施形態について、添付図面と共に詳細に説明する。
　図１は携帯電話１０に脱着可能にデータ保存充電器１２を設けた実施形態であり、データ保存充電器１２と携帯電話１０との電気的接続を、配線１４および携帯電話１０のコンタクトに装着するアタッチメント１６によって行うように構成したものである。
【０００９】
　１８は家庭用電源に接続するＡＣアダプター、２０は車載用電源接続ユニット、２２は乾電池である。これらのＡＣアダプター１８、車載用電源ユニット２０、乾電池２２は充電用電源であり、同時にデータ保存充電器１２を動作させる電源となる。いずれもデータ保存充電器１２に脱着自在に取り付けられる。携帯電話１０の充電は随時行える必要があり、これらの３電源を利用できることは有用である。
【００１０】
　図２は本発明の他の実施形態を示す。この実施形態は、データ保存充電器１２に携帯電話１０のコンタクト端子側を挿入してセットするソケット１２ａを設け、携帯電話１０をソケット１２ａに差し込んで携帯電話１０とデータ保存充電器１２とを電気的に接続するようにしたものである。データ保存充電器１２の電源として家庭用の電源を使用し、ＡＣアダプター１８をデータ保存充電器１２に接続しているが他の電源を利用することも可能である。
【００１１】
　図３は、データ保存充電器１２に電源部としてＡＣアダプター１８、車載用電源、乾電池が接続され、データ保存充電器１２に携帯電話１０が接続されることを示す。ＡＣアダプター１８は交流１００Ｖを直流＋１２Ｖに変換するものである。
【００１２】
　携帯電話１０のデータ保存及び充電を制御するデータ保存充電器１２は、携帯電話１０の通信先データ等を携帯電話１０から転送して記憶するための制御を行う電話メモリ制御部３０と電圧変換部４０と充電制御部５０とデータ保存充電器１２を操作するための操作部６０とを備える。
【００１３】
　電話メモリ制御部３０は、ロジック制御回路３２と、メモリ制御回路３４と、データ保存充電器１２と携帯電話１０との間でのデータのやりとりを制御するインターフェース３６とを有する。ロジック制御回路３２は操作部６０による入力操作にしたがって携帯電話１０からデータを自動的に転送して記憶させる操作、あるいは携帯電話１０を充電する操作を制御するためのものである。本実施形態では、データの保存（バックアップ）とメモリから携帯電話１０へデータを転送（書き込み）する操作を選択できるようにしているが、ロジック制御回路３２はこのようなデータ保存等の操作を適宜設定して制御するためのものである。
【００１４】
　メモリ制御回路３４は携帯電話１０に記憶されている通信先データあるいは個人情報データを取り込み、メモリに記憶するための制御を行う。メモリ制御回路３４はデータ記憶用のメモリを備え、携帯電話１０から転送されるデータを記憶する。本実施形態ではメモリに不揮発性のフラッシュメモリを使用して電源切断時でもメモリが保存されるようにしている。もちろん、フラッシュメモリ以外のメモリを使用することも可能である。メモリ制御回路３４では携帯電話１０から転送されてくるデータをメモリに記憶されている既存のデータと比較して新規データのみを記憶させる等の制御をなす。インターフェース３６はデータ保存充電器１２と携帯電話１０との間で電気的特性を整合させ、信号タイミングを整合させる作用をなす。
【００１５】
　電圧変換部４０はＡＣアダプター１８、車載用電源、乾電池からの入力電圧を充電制御部５０と電話メモリ制御部３０を制御するための電源電圧に変換するためのものである。実施形態では電圧変換部４０にチョッパ及びレギュレータを設けて一定電圧となるようにしている。また、電圧変換部４０には保護用の回路が設けられ電話メモリ制御部３０及び充電制御部５０が安定して制御されるように構成されている。
【００１６】
　充電制御部５０は電圧電流監視制限回路５２と電源供給回路５４とを備える。電圧電流監視制限回路５２は電源供給回路５４によって携帯電話１０に供給される電圧および電流が一定範囲内にあるか否かを監視し、電圧電流値が一定範囲に維持されるよう制御する。携帯電話１０は電源供給回路５４を介して充電され、電圧電流監視制限回路５２によって充電完了が検知されたところで電源供給が自動停止されるよう制御される。
【００１７】
　操作部６０はプッシュボタンの操作によってデータのバックアップ操作等が制御できるよう構成されており、操作部６０を操作することによって電話メモリ制御部３０、電圧変換部４０、充電制御部５０が制御される。図１に示すように、データ保存充電器１２の上面に操作部６０のプッシュボタンが装着されている。これらのプッシュボタンを操作して使用者は所望の操作をすることができる。また、データ保存充電器１２の上面にはデータのバックアップ及び充電完了等を表示するランプ等の表示部が設けられている。
【００１８】
　図４は、本実施形態のデータ保存充電器によるデータバックアップ（保存・転送）機能の操作及び動作を示すフローチャートである。以下、このフローチャートにしたがってデータ保存充電器の作用について説明する。まず、携帯電話１０とデータ保存充電器１２、データ保存充電器１２と電源とを接続する（ステップ７０）。図１に示す実施形態の場合は携帯電話１０のコンタクト端子にアタッチメント１６を接続し、図２に示す実施形態では携帯電話１０をデータ保存充電器１２のソケット１２ａに差し込めばよい。
【００１９】
　携帯電話１０を充電する場合の操作はこれだけであり、この後は充電制御部５０によって充電が制御され、充電が完了すると表示ランプ等によって充電完了が表示される。携帯電話１０に記憶されているデータをデータ保存充電器１２に保存する場合は、次に、携帯電話１０の電源をＯＮにする（ステップ７２）。携帯電話１０の電源をＯＮにしてデータ保存充電器１２に接続すると、携帯電話１０の充電が開始される一方（ステップ７４）、データ保存充電器１２はデータを操作するスタンバイ状態になり、暗証番号の入力を待つ状態になる。そこで、あらかじめ設定した暗証番号を入力する（ステップ７６）。この暗証番号は携帯電話１０のダイヤルボタンを用いて入力する。
【００２０】
　ステップ７８は入力された暗証番号が正しいか否かを判断するステップである。暗証番号が一致しない場合には、暗証番号を入力するステップ７６に戻り、暗証番号が正しい場合には、動作モードを入力するステップ８０に進む。ステップ８０は携帯電話１０に記憶されているデータをデータ保存充電器１２に記憶させる（バックアップ）か、データ保存充電器１２に記憶されているバックアップデータを携帯電話１０に転送する（書き込み）かを選択するステップである。
【００２１】
　データ保存充電器１２は携帯電話１０からデータを転送してバックアップする機能と、バックアップしたデータを携帯電話１０に転送する機能を有する。ステップ８０はデータ保存充電器１２に対しどちらの操作を行うかを指示するステップである。ステップ８０での選択は操作部６０によるプッシュスイッチによる入力操作と携帯電話１０のダイヤルボタンによる入力操作のどちらによっても可能である。ステップ８２はバックアップ操作か書き込み操作かを判断するステップであり、バックアップ操作を選択した場合はバックアップデータを転送開始するステップ８４に進み、書き込み操作を選択した場合はデータの書き込み転送を開始するステップ８６に進む。
【００２２】
　ステップ８８はデータの再バックアップを行うか否かを判断するステップである。データのバックアップが不完全な場合があり得ることから、再確認の意味で設けている。データのバックアップ及びデータの書き込み操作はデータ保存充電器１２に内蔵されている電話メモリ制御部３０によって自動的に行われ、所定の処理が終了するとステップ９０でデータのバックアップあるいはデータの書き込み処理の終了表示がなされる。
【００２３】
　上記実施形態のデータ保存充電器１２は電話メモリ制御部３０と電圧変換部４０と充電制御部５０を備えたものである。これに対して、図５に示す装置は、携帯電話１０の充電機構と別個に電話メモリ制御部３０を独立させて構成した例を示す。この装置は電話メモリ制御部３０のみを独立させたことによって構成が単純化でき、従来の充電器に接続して簡易に使用することができるという利点を有する。
【００２４】
　電話メモリ制御部３０の構成は上述した実施形態と同様であり、ロジック制御回路３２とメモリ制御回路３４とインターフェース３６とを備える。ロジック制御回路３２は操作部６０による入力操作にしたがって、携帯電話１０に記憶されているデータを転送して記憶し、あるいは携帯電話１０にデータを転送する。メモリ制御回路３４は携帯電話１０に記憶されている通信先データ、個人情報データを記憶するためのものである。インターフェース３６は電話メモリ制御部３０と携帯電話１０との間でのデータのやりとりを制御するためのものである。
【００２５】
　なお、本実施形態のデータバックアップ装置は、充電機構については直接制御することなく、電話メモリ制御部３０においてはロジック回路をバイパスして携帯電話１０と充電器側とを直接的に接続する構成としている。いいかえれば、充電器と携帯電話１０との間に挿入してセットすることによって携帯電話１０の記憶データをバックアップ可能としたものである。６２は電話メモリ制御部３０の回路駆動用の電池である。電話メモリ制御部３０の動作は前述した実施形態と同様であるので省略する。本実施形態のデータバックアップ装置に充電器側のコネクタを接続し、携帯電話１０とデータバックアップ装置を接続することによって携帯電話１０の充電が開始され、必要に応じて操作部６０を操作することによって携帯電話１０からのデータが電話メモリ制御部３０にバックアップされ、また電話メモリ制御部３０からデータが携帯電話１０に転送される。
【００２６】
　以上、各実施形態で説明したように、本発明に係る携帯電話の充電器接続用データ保存充電器および携帯電話のバックアップ装置は、携帯電話を充電操作する際にデータのバックアップあるいは書き込み操作を行えるようにしたことによって、きわめて簡単に携帯電話のデータをバックアップすることが可能である。携帯電話を常時使用している場合は、たびたび充電操作を行う必要があり、毎日、定期的に充電操作を行う場合も多い。本実施形態の充電器であれば、充電操作を行う際にデータのバックアップを行うことができるから、常時新しいデータに更新して記憶でき、充電操作とともにデータの更新が自然に行えるという大きな利点がある。
【００２７】
　また、本発明の装置は、携帯電話に記憶されているデータを扱うだけであるから、大きなメモリ容量が必要なく、小型の装置に形成できるから充電器に内蔵することも可能であり、また充電器に付設して使用する場合もコンパクトで使いやすい形態にできるという利点がある。また、操作に際しても、とくに複雑な操作が不要であり、特別の専門知識も必要なくだれでも簡単に使うことができるという利点がある。そして、携帯電話に記憶されている通信先データや個人情報をバックアップしておくことで、データの散逸を防止して、携帯電話をより安全に使用することが可能になる。また、携帯電話を新しくした場合や、会社内で複数台の携帯電話を使用して顧客データを共有するといったような場合には、データを携帯電話側に書き込むことによって、効率的な使用が可能になるという利点もある。
【図面の簡単な説明】
【００２８】
【図１】本発明に係るデータ保存充電器の使用形態を示す説明図である。
【図２】データ保存充電器の他の使用形態を示す説明図である。
【図３】データ保存充電器の構成を示すブロック図である。
【図４】データ保存充電器の操作および動作を示すフローチャートである。
【図５】充電器接続用データバックアップ装置の構成を示すブロック図である。
【符号の説明】
【００２９】
　１０　携帯電話
　１２　データ保存充電器
　２０　車載用電源ユニット
　３０　電話メモリ制御部
　３２　ロジック制御回路
　３４　メモリ制御回路
　４０　電圧変換部
　５０　充電制御部
　５２　電圧電流監視制限回路
　５４　電源供給回路
　６０　操作部
【図１】
2004147496.tif 000003
【図２】
2004147496.tif 000004
【図３】
2004147496.tif 000005
【図４】
2004147496.tif 000006
【図５】
2004147496.tif 000007